(57)【要約】【課題】センサやカメラ等を用いず、かつ特別なプログラムを管理装置等に設けることなく、プログラム記憶手段の不正交換を発見できる遊技機の不正監視装置を提供する。【解決手段】不正監視装置８は、プログラム記憶手段２ｂが実装された第一の基板２と、第一の基板２と別個に遊技機１内に設けられた第二の基板３を有している。第一の基板２と第二の基板３のそれぞれには、認証番号を記憶した番号記憶手段２ａ，３ａが設けられている。そして各番号記憶手段２ａ，３ａの各認証番号を照合して、各認証番号が一致していない場合に信号を発し、一致している場合には信号を発しない不正判断手段３ｂが、第一の基板２と異なる第二の基板３に設けられている。【選択図】図１
2008132241.tif 000002
【特許請求の範囲】
【請求項１】
遊技機のプログラム記憶手段に対する不正を監視する遊技機の不正監視装置であって、
前記プログラム記憶手段が実装された第一の基板と、その第一の基板と別個に前記遊技機内に設けられた第二の基板とを有し、
前記第一の基板と第二の基板のそれぞれには、認証番号を記憶した番号記憶手段が設けられており、
前記各番号記憶手段の各認証番号を照合して、前記各認証番号が一致していない場合に信号を発し、一致している場合には信号を発しない不正判断手段が、前記第一の基板と異なる前記遊技機内のいずれかの部位に設けられていることを特徴とする遊技機の不正監視装置。
【請求項２】
請求項１に記載の遊技機の不正監視装置であって、
不正判断手段は、各番号記憶手段の各認証番号が一致していないと判断した場合に遊技機の主電源をＯＦＦにすることを特徴とする遊技機の不正監視装置。
【請求項３】
請求項１または２に記載の遊技機の不正監視装置であって、
不正判断手段の信号を委託会社または警察に設置された受信装置に伝達する伝達手段を有していることを特徴とする遊技機の不正監視装置。
【発明の詳細な説明】
【技術分野】
【０００１】
本発明は、遊技機のプログラム記憶手段に対する不正を監視する遊技機の不正監視装置に関する。
【背景技術】
【０００２】
パチンコ機やパチスロ機などの遊技機は、遊技内容を決定・制御する情報を記憶したＲＯＭ（プログラム記憶手段）を有している。ＲＯＭは、基板に実装された状態で遊技機の背面に装着され、カバーによって封印される。ところが遊技場の営業中や閉店中等にその封印が破られてＲＯＭが不正なＲＯＭと交換され、玉の出方が自己に有利なように調整されるなどの不正な行為が行われることがある。そこで従来、ＲＯＭに対する不正を監視するためにセンサを有するシステムや（特許文献１）、カメラを有するシステム（特許文献２）等が開発されている。しかしこれらシステムは、センサやカメラが高価であるという問題や、遊技場が営業中のみにしか作動しないという問題等を有していた。
【０００３】
この対策を施したシステムとして特許文献３に記載のシステムも知られている。このシステムは、ＲＯＭ内のプログラムを読取る読取手段と、読取ったプログラムに基づいてキー値を算出する算出手段と、キー値を管理装置へ送信する送信手段とを備え、管理装置がキー値の成否を判断して警告するものである。そのためこのシステムによると、センサ等が不要であり、しかも遊技場が閉店の際に行われたＲＯＭの不正交換を早期に発見することもできる。しかしこのシステムは、管理装置側にキー値の成否を判定する特別のプログラムが必要であるという問題、管理装置側のプログラム等が改ざんされるおそれがあるという問題等を有していた。
【特許文献１】特開２００６−２３１９７号公報
【特許文献２】特開２００６−２１２０４３号公報
【特許文献３】特開２００４−１５９７５７号公報
【発明の開示】
【発明が解決しようとする課題】
【０００４】
そこで本発明は、センサやカメラ等を用いず、かつ特別なプログラムを管理装置等に設けることなく、プログラム記憶手段の不正交換を発見できる遊技機の不正監視装置を提供することを課題とする。
【課題を解決するための手段】
【０００５】
前記課題を解決するために本発明は、各請求項に記載の通りの構成を備える遊技機の不正監視装置であることを特徴とする。すなわち請求項１に記載の発明によると、不正監視装置は、プログラム記憶手段（ＲＯＭ等）が実装された第一の基板と、その第一の基板と別個に遊技機内に設けられた第二の基板とを有している。第一の基板と第二の基板のそれぞれには、認証番号を記憶した番号記憶手段が設けられている。そして各番号記憶手段の各認証番号を照合して、各認証番号が一致していない場合に信号を発し、一致している場合には信号を発しない不正判断手段が、第一の基板と異なる遊技機内のいずれかの部位に設けられている。
【０００６】
したがって本発明によると、センサやカメラ等を用いることなく、プログラム記憶手段（第一の基板）の不正交換を発見することができる。そのため不正監視装置を安価に構成することができる。また不正判断手段は、遊技機内に設けられており、不正判断時のみに信号を発する。そのため管理装置側等に特別なプログラム等を設けることなく、プログラム記憶手段の不正交換を発見できる。そして該特別なプログラムの改ざんのおそれもない。
【０００７】
請求項２に記載の発明によると、不正判断手段は、各番号記憶手段の各認証番号が一致していないと判断した場合に遊技機の主電源をＯＦＦにする。したがって第一の基板が不正に交換された状態のまま遊技機が使用されることで生じ得る遊技場の損害を確実に防止することができる。
【０００８】
請求項３に記載の発明によると、不正判断手段の信号を委託会社または警察に設置された受信装置に伝達する伝達手段を有している。したがって遊技機に対する不正が委託会社または警察において直接監督され得る。しかも委託会社または警察に設置された受信装置は、第一の基板が不正に交換された場合にのみ信号を受信するため、特別なプログラムを必要としない。したがって従前困難であった委託会社または警察における不正監視が本発明によると容易に行うことができる。
【発明を実施するための最良の形態】
【０００９】
本発明の実施の形態を図１〜３にしたがって説明する。遊技場（パチンコホール）には、複数の島があり、各島に複数の遊技機１が並設されている。各遊技機１は、図１に示すように背面に球を保管するタンク１０と、タンク１０からの球を賞球払出し装置１２に案内するタンクレール１１と、賞球払出し装置１２からの賞球を上皿と下皿に振分けて排出する振分け機構１３と、複数の基板２〜７を有している。
【００１０】
第一の基板２は、主基板であって、ＣＰＵ２ｃと、ＣＰＵ２ｃにより実行されるプログラムを記憶するプログラム記憶手段（ＲＯＭ）２ｂを有している。プログラム記憶手段２ｂは、記憶したプログラムによって当たりや外れを決定して、該遊技状態に応じて他の基板３〜７に信号を発する。そして絵柄表示部の表示図柄を更新する。第一の基板２は、不正行為を禁止するために図示省略のアクリル樹脂でできたカバーによって封印される。
【００１１】
基板３は、電源基板であって遊技機１の主電源を制御する。基板４は、賞球払出し基板であって、プログラム記憶手段２ｂからの信号に基づいて賞球払出し装置１２から遊技者側へ所定数の球を払出す。基板５は、音ランプ制御基板であって、プログラム記憶手段２ｂからの信号に基づいて遊技機１に装着されたランプとスピーカを制御する。基板６は、カードユニットとの接続基板であって、球貸しボタンの押し操作により球を上皿等に所定数排出し、返却ボタンの押し操作によりカードユニットからカードを排出するようにカードユニット等に信号を発する。
【００１２】
基板７は、外部端子基板であって、基板２〜６と電気的に接続されている。基板７は、図２に示すように伝達手段１７を介して基板２等からの信号を遊技場の管理装置１４と、委託会社の受信装置１５と、警察（所轄県警）に設置された受信装置１６に伝達する。伝達手段１７は、有線と無線いずれの形態でも良く、管理装置１４と受信装置１５，１６は、例えばコンピュータである。そして管理装置１４には、複数の遊技機１が接続されている。
【００１３】
遊技機１内には、図２に示すように不正監視装置８が設けられている。不正監視装置８は、第一の基板２が不正に交換されることを監視する装置であって、番号記憶手段（ＲＯＭ等）２ａ〜４ａと不正判断手段３ｂと基板７を有している。番号記憶手段２ａ〜４ａは、各基板２〜４に実装され、番号記憶手段２ａ〜４ａには、遊技機１毎に異なる認識番号が遊技機メーカによって予め記憶されている。不正判断手段３ｂは、電源基板（基板３）に実装されており、遊技機１の電源が投入された際に自動的に番号記憶手段２ａ〜４ａから認識番号を読取る。そしてこれら認識番号がすべて一致しているか否かを判断し、一致していていないと判断した場合に信号を発し、一致していると判断した場合には信号を発しない。
【００１４】
不正監視装置８の作用を図３のフローチャートにしたがって以下に説明する。先ず、遊技機１の主電源をＯＮにする（ステップＳ１）。これにより不正判断手段３ｂが自動的に番号記憶手段２ａ〜４ａから認識番号を読取る（ステップＳ２）。そして各認識番号が同一か否かを不正判断手段３ｂが照合して（ステップＳ３）、同一であれば不正判断が終了する。
【００１５】
第一の基板２が不正に交換された場合は、不正交換された番号記憶手段２ａ内の認識番号が他の番号記憶手段３ａ，４ａ内の認識番号と異なる番号になる。そのため各認識番号が同一でないと不正判断手段３ｂが判断する（ステップＳ３）。そして不正判断手段３ｂが基板７に信号を発し（ステップＳ４）、その信号が伝達手段１７を介して管理装置１４と受信装置１５，１６にほぼ同時に伝達される。そのため第一の基板２の不正交換が遊技機１の扉を開けることなく遊技場の管理者等にほぼ同時に知らされる。その後、不正判断手段３ｂによって主電源がＯＦＦにされ（ステップＳ５）、遊技機１の使用が不可能になる。これにより遊技場における損失を未然にかつ確実に防止することができる。
【００１６】
以上のようにして実施の形態が形成されている。すなわち不正監視装置８は、図２に示すようにプログラム記憶手段（ＲＯＭ）２ｂが実装された第一の基板２と、第一の基板２と別個に遊技機内に設けられた第二の基板（３または４）を有している。第一の基板２と第二の基板３，４のそれぞれには、認証番号を記憶した番号記憶手段２ａ〜４ａが設けられている。そして各番号記憶手段２ａ〜４ａの各認証番号を照合して、各認証番号が一致していない場合に信号を発し、一致している場合には信号を発しない不正判断手段３ｂが、第一の基板２と異なる遊技機１内のいずれかの部位（基板３）に設けられている。
【００１７】
したがって本形態によると、センサやカメラ等を用いることなく、プログラム記憶手段２ｂ（第一の基板２）の不正交換を発見することができる。そのため不正監視装置８を安価に構成することができる。また不正判断手段３ｂは、遊技機１内に設けられており、不正判断時のみに信号を発する。そのため管理装置１４側等に特別なプログラム等を設けることなく、プログラム記憶手段２ｂの不正交換を発見できる。そして該特別なプログラムの改ざんのおそれもない。
【００１８】
また不正判断手段３ｂは、図３に示すように各番号記憶手段２ａ〜４ａの各認証番号が一致していないと判断した場合に遊技機１の主電源をＯＦＦにする。したがって第一の基板２が不正に交換された状態のまま遊技機１が使用されることで生じ得る遊技場の損害を確実に防止することができる。
【００１９】
また不正監視装置８は、図２に示すように不正判断手段３ｂの信号を委託会社または警察に設置された受信装置１５，１６に伝達する伝達手段１７を有している。したがって遊技機１に対する不正が委託会社または警察において直接監督され得る。しかも委託会社または警察に設置された受信装置１５，１６は、第一の基板２が不正に交換された場合にのみ信号を受信するため、特別なプログラムを必要としない。したがって従前困難であった委託会社または警察における不正監視が本形態によると容易に行うことができる。
【００２０】
（他の実施の形態）
本発明は、上記実施の形態に限定されず、以下の形態であっても良い。
（１）上記実施の形態は、不正判断手段が発した信号を管理装置等に伝達することで、遊技場の管理者等にプログラム記憶手段の不正交換を知らせる形態であった。しかし不正判断手段が発した信号に基づいて遊技機等に設けた警告ランプを点灯することで、プログラム記憶手段の不正交換を管理者等に知らせる形態であっても良い。
（２）上記実施の形態は、不正判断手段が発した信号が遊技場の管理装置１４、委託会社の受信装置１５、警察の受信装置１６に伝達されていた。しかし管理装置１４と受信装置１５のいずれか一つもしく両方がない形態等であっても良い。
（３）上記実施の形態の番号記憶手段２ａ〜４ａには、メーカによって予め認証番号が記憶されていた。しかし認証番号が管理装置１４等から番号記憶手段２ａ〜４ａに入力され、記憶される形態であっても良い。
（４）上記実施の形態の不正判断手段３ｂは、基板３（電源基板）に実装されていた。しかし基板３以外の基板４〜７もしくは他の遊技機１の部品に実装される形態であっても良い。
【図面の簡単な説明】
【００２１】
【図１】遊技機の裏側の概略図である。
【図２】不正監視装置の電気的構成を示すブロック図である。
【図３】不正監視装置の作用を示すフローチャートである。
【符号の説明】
【００２２】
１・・・遊技機
２・・・第一の基板
２ａ〜４ａ・・・番号記憶手段
２ｂ・・・プログラム記憶手段
３〜７・・・基板
３ｂ・・・不正判断手段
８・・・不正監視装置
１４・・・管理装置
１５，１６・・・受信装置
１７・・・伝達手段
【図１】
2008132241.tif 000003
【図２】
2008132241.tif 000004
【図３】
2008132241.tif 000005